【事件の表示】
　特願２００３−３４５７１８「光電変換素子及び太陽電池」拒絶査定不服審判事件〔平成１７年　４月２８日出願公開、特開２００５−１１６６１７〕について、次のとおり審決する。
【結　論】
　本件審判の請求は、成り立たない。
【理　由】
１　手続の経緯
　本願は、平成１５年１０月３日の特許出願であって、平成２０年９月２日付けで手続補正がなされ、同年１１月４日付けで拒絶査定がなされ、これに対し、同年１２月１０日に拒絶査定不服審判の請求がなされるとともに、同年１２月２６日付けで手続補正がなされたものである。
　
２　本願発明
　平成２０年１２月２６日付け手続補正により補正された明細書、特許請求の範囲及び図面の記載からみて、本願の特許請求の範囲の請求項１に係る発明は、請求項１に記載された、次のとおりのものであると認める。
　
「　１対の電極と、前記１対の電極間に配設された電荷輸送性複素環高分子から成る固体層とを有し、前記固体層が正孔輸送性複素環高分子とフラーレン変性物とを含有し、前記正孔輸送性複素環高分子が立体規則性ポリマーであり、前記フラーレン変性物がエステル基、イミノ基、アルキル基、アラルキル基、チオフェニル基から選ばれた官能基を少なくとも１つ以上含有することを特徴とする光電変換素子。」（以下「本願発明」という。）
　
３　引用刊行物記載の発明
　原査定の拒絶の理由に引用された、本願の出願前に頒布された刊行物である米国特許出願公開第２００３／０１５９７２９号明細書（以下「引用刊行物」という。）には、図とともに以下の事項が記載されていると認められる（なお、訳文をかっこ書きで付した。）。
　
（１）　「[0001]  The present invention relates to a photovoltaic cell having a photoactive layer made of two components, namely an electron donor and an electron acceptor, particularly a conjugated polymer component and a fullerene component, and having two metallic electrodes provided on both sides of the photoactive layer. 
[0002]  Plastics having extensive π-electron systems, in which single and double bonds follow one another alternately in sequence, are referred to as conjugated plastics. These conjugated plastics have energy bands which are comparable with semiconductors in regard to electron energy, so that they may also be transferred from the non-conductive state into the metallically conductive state through doping. Examples of such conjugated plastics are polyphenylenes, polyvinylphenylenes (PPV), polythiophenes, or polyanilines. The efficiency of energy conversion of photovoltaic polymer cells made of a conjugated polymer is, however, typically between 10-3 and 10-2 %. To improve this efficiency, heterogeneous layers made of two conjugated polymer components have already been suggested (U.S. Pat. No. 5,670,791 A), one polymer component being used as an electron donor and the other polymer component as an electron acceptor. By using fullerenes, particularly buckminsterfullerenes C60 , as electron acceptors (U.S. Pat. No. 5,454,880 A), the charge carrier recombination otherwise typical in the photoactive layer may be largely avoided, which leads to a significant increase in efficiency. For reaching a good efficiency, good charge separation is a necessary, but not sufficient condition, because it must also be ensured that the separated charges also reach the corresponding electrodes of the photovoltaic cell. In typical photovoltaic cells of this type, a hole-collecting electrode made of indium/tin oxide (ITO) and an electrode-collecting electron made of aluminum have proven themselves. 
[0003]  The present invention is therefore based on the object of designing a photovoltaic cell of the type initially described in such a way that the charge transport between the photoactive layer and electrodes may be increased to elevate the short-circuit current. 
[0004]  The present invention achieves the object described in that an intermediate layer made of a conjugated polymer, which has a doping corresponding to the electrode potential and, in regard to the electron energy, has a band gap between the valence band and the conduction band of at least 1.8 eV, is provided between the photoactive layer and at least one electrode. 」
（［０００１］　本発明は、２個の分子成分、すなわち電子供与体および電子受容体、特に共役ポリマー成分およびフラーレン成分からなる光活性層および光活性層の両側に備えられた２つの金属電極を有する光電池に関する。
［０００２］　単結合および二重結合が交互に連続する、延長したπ−電子系を有するプラスチックは共役プラスチックと呼ばれる。この共役プラスチックは電子エネルギーに関して半導体に匹敵するエネルギー帯域を有し、ドーピングにより非導電性の状態から金属導電性の状態に移行することができる。この共役プラスチックの例は、ポリフェニレン、ポリビニルフェニレン（ＰＰＶ）、ポリチオフェンまたはポリアニリンである。しかし共役ポリマーからなるポリマー光電池のエネルギー変換効率は典型的に１０−３〜１０−２％である。この効率を改良するために、すでに電子供与体としてポリマー成分および電子受容体として他のポリマー成分を使用する２つの共役ポリマー成分からなる不均一の層が提案された（米国特許第５６７０７９１号明細書）。電子受容体としてフラーレン、特にバックミンスターフラーレンＣ６０の使用により（米国特許第５４５４８８０号明細書）、さもなければ一般的である光電池における電荷担体再結合を十分に回避することができ、これがかなりの効率の上昇を生じた。良好な効率を達成するために、良好な電荷分離は必要であるが、十分条件ではない。それというのも分離した電荷が光電池の対応する電極に到達することを付加的に考慮しなければならないからである。この種の通常の光電池においてはインジウム／錫−酸化物（ＩＴＯ）からなる正孔集積電極およびアルミニウムからなる電子集積電極が有利である。
［０００３］　従って本発明の課題は、冒頭に記載の形式の光電池を、短絡電流を上昇させ、光活性層と電極の間の電荷の移動が増加するように形成することである。
［０００４］　前記課題は、本発明により、光活性層と電極の少なくとも１つの間に共役ポリマーからなる中間層が備えられ、前記ポリマーが電極電位に相当するドーピングを有し、電子エネルギーに関して価電子帯と伝導帯の間の少なくとも１．８ｅＶのエネルギーギャップを有することにより解決される。）
　
（２）「[0008]  FIG. 1 shows a detail of a photovoltaic cell according to the present invention in a schematic section, and 
[0009]  FIG. 2 shows the current-voltage characteristics of a typical photovoltaic cell and a photovoltaic cell according to the present invention.」
（［０００８］　図１は本発明の光電池の詳細を示す断面図であり、
［０００９］　図２は従来の光電池と本発明の光電池の電流−電圧特性曲線を示す。）
　
（３）「[0010]  As shown in FIG. 1 , the photovoltaic cell comprises a transparent glass carrier 1 , onto which an electrode layer 2 made of indium/tin oxide (ITO) is applied. This electrode layer 2 generally has a comparatively rough surface structure, so that it is covered with a smoothing layer 3 made of a polymer, typically PEDOT, which is made electrically conductive through doping. In contrast to typical photovoltaic cells of this type, according to the present invention, photoactive layer 4 is not applied directly onto the smoothing layer, but rather onto an intermediate layer 5 , which is made of conjugated polymer, preferably from a poly(3-alkylthiophene), which is oxidatively doped using nitrosonium tetrafluoroborate after being applied onto smoothing layer 3 , in order to obtain a corresponding hole excess. 
[0011]  Photoactive layer 4 , which is applied onto intermediate layer 5 in the form of a solution, is made of a conjugated polymer, preferably a polythiophene derivate, as an electron donor, and a fullerene, particularly functionalized fullerene PCBM, as an electron acceptor. The concept of polymer is to be understood to mean both high polymers and oligomers. Electron-collecting electrode 6 is made of aluminum, which, in the case of the exemplary embodiment illustrated, is vapor deposited onto photoactive layer 4 without interposing a further intermediate layer, which would, however, be completely possible. In this case, the conjugated polymer of the intermediate layer would be reductively doped corresponding to the negative potential of electron-collecting electrode 6 , in order to ensure a corresponding electron excess. 」
（［００１０］　図１による光電池は光透過性ガラス支持体１を有し、この支持体の上にインジウム／錫−酸化物（ＩＴＯ）からなる電極層２が付着している。この電極層２は一般に比較的粗い表面構造を形成するため、電極層はドーピングにより導電性にされたポリマー、一般にＰＥＤＯＴ、からなる平滑層３で覆われている。この種の従来の光電池と異なり、本発明によると、相当する正孔過剰を得るために、光活性層４は直接平滑層の上に付着せず、中間層５の上に付着し、中間層は、平滑層３に付着後にニトロソニウム−テトラフルオロボラートで酸化ドーピングされた共役ポリマー、有利にはポリ−３−アルキルチオフェンからなる。
［００１１］　中間層５の上に溶液の形で付着する光活性層４は電子供与体として共役ポリマー、有利にはポリチオフェン誘導体および電子受容体としてフラーレン、特に機能性フラーレンＰＣＢＭからなる。この場合にポリマーの語は高分子ポリマーおよびオリゴマーであると理解される。電子集積電極６はアルミニウムからなり、アルミニウムは示された実施例の場合に他の中間層を挿入せずに光活性層４の上に蒸着されるが、これは全く可能である。この場合に中間層の共役ポリマーは、相当する電子過剰を保証するために、電子が集まる電極６のマイナスの電位に相当して還元ドーピングすべきである。）
　
（４）「 What is claimed is:
1. A photovoltaic cell having a photoactive layer (4) made of two molecular components, namely an electron donor and an electron acceptor, particularly a conjugated polymer component and a fullerene component, and having two metallic electrodes (2, 6) provided on both sides of the photoactive layer (4), 
 characterized in that an intermediate layer (5) made of a conjugated polymer, which has a doping corresponding to the electrode potential and, in regard to the electron energy, has a band gap between the valence band and the conduction band of at least 1.8 eV, is provided between the photoactive layer (4) and at least one electrode (2, 6). 
 
2. The photovoltaic cell according to claim 1 , 
 characterized in that the intermediate layer (5) is made of a doped polythiophene derivate.
（特許請求の範囲：
１．２個の分子成分、すなわち電子供与体および電子受容体、特に共役ポリマー成分およびフラーレン成分からなる光活性層（４）および光活性層（４）の両側に備えられた２つの金属電極（２，６）を有する光電池において、
　光活性層（４）と電極（２，６）の少なくとも１つの間に共役ポリマーからなる中間層（５）が備えられ、前記ポリマーが電極電位に相当するドーピングを有し、電子エネルギー帯域に関して価電子帯と伝導帯の間の少なくとも１．８ｅＶのエネルギーギャップを有することを特徴とする光電池。
２．中間層（５）がドーピングされたポリチオフェン誘導体からなる請求項１記載の光電池。）
　
（５）以上の記載事項を総合すると、引用刊行物には、次の発明（以下「引用発明」という。）が記載されていると認められる。
　
「　２個の分子成分、すなわち電子供与体および電子受容体、特に共役ポリマー成分およびフラーレン成分からなる光活性層（４）および光活性層（４）の両側に備えられた２つの金属電極（２，６）を有する光電池において、
　光活性層（４）と電極（２，６）の少なくとも１つの間に共役ポリマーからなる中間層（５）が備えられ、前記ポリマーが電極電位に相当するドーピングを有し、電子エネルギー帯域に関して価電子帯と伝導帯の間の少なくとも１．８ｅＶのエネルギーギャップを有し、
　光活性層（４）は電子供与体として共役ポリマー、有利にはポリチオフェン誘導体および電子受容体としてフラーレン、特に機能性フラーレンＰＣＢＭからなる、光電池。」
　
４　対比 
　本願発明と引用発明とを対比する。
　
（１）引用発明の「光電池」は、本願発明の「光電変換素子」に相当する。
　
（２）引用発明の「２つの金属電極（２，６）」は、本願発明の「１対の電極」に相当する。
　
（３）引用発明の「ポリチオフェン誘導体」からなる「電子供与体」としての「共役ポリマー成分」は、本願発明の「正孔輸送性複素環高分子」に相当する。
　
（４）引用発明の「光活性層（４）」は、その「両側に」「２つの金属電極（２，６）」が備えられたものであり、「２個の分子成分、すなわち電子供与体および電子受容体、特に共役ポリマー成分およびフラーレン成分からなる」ものであり、上記（４）のとおり、本願発明の「正孔輸送性複素環高分子」に相当する「電子供与体」としての「共役ポリマー成分」を含むものであるから、引用発明の「光活性層（４）」は、本願発明の「前記１対の電極間に配設された電荷輸送性複素環高分子から成る固体層」に相当する。
　
（５）引用発明において、「光活性層（４）」は、「電子受容体としてフラーレン、特に機能性フラーレンＰＣＢＭ」をその成分として備えるものであるところ、「機能性フラーレンＰＣＢＭ」は、本願の図面（図３）に示されているように、エステル基、アルキル基、アラルキル基などの官能基を含有するフラーレン変性物であると認められるから、引用発明は、本願発明の「前記固体層が正孔輸送性複素環高分子とフラーレン変性物とを含有し」、「前記フラーレン変性物がエステル基、イミノ基、アルキル基、アラルキル基、チオフェニル基から選ばれた官能基を少なくとも１つ以上含有する」との特定事項を備える。
　
　したがって、両者は、
「１対の電極と、前記１対の電極間に配設された電荷輸送性複素環高分子から成る固体層とを有し、前記固体層が正孔輸送性複素環高分子とフラーレン変性物とを含有し、前記フラーレン変性物がエステル基、イミノ基、アルキル基、アラルキル基、チオフェニル基から選ばれた官能基を少なくとも１つ以上含有することを特徴とする光電変換素子。」
である点で一致し、以下の点で相違する。
　
［相違点］
　正孔輸送性複素環高分子が、本願発明では、「立体規則性ポリマーであり」とされているのに対して、引用発明では、「ポリチオフェン誘導体」とされているが、立体規則性であるかどうか不明である点。
　
５　判断 
（１）相違点について
　上記相違点について検討する。
　光電変換素子に用いる電荷輸送性材料として、光変換効率を向上させるために、光キャリアー移動度が高い立体規則性を有するポリアルキルチオフェンなどのポリチオフェン誘導体を用いることは、本願出願時において周知の技術である（原査定の拒絶の理由に引用された、特開２００１−１９６６６４号公報（全文）、国際公開第０１／９４９８０号パンフレット（第３頁第２〜７行、第５頁第４〜２０行等）参照。その他、必要であれば、以下の刊行物も参照。 J. Appl. Phys., 93, 3376-3383 (15 March 2003).　J. Mater. Chem., 12, 2065-2070 (2002).）。
　したがって、引用発明において、「ポリチオフェン誘導体」であるとされている電子供与体としての共役ポリマーに、上記周知の立体規則性ポリチオフェン誘導体を採用し、本願発明の上記相違点に係る特定事項となすことは、当業者が容易になし得たことである。
　
（２）請求人の主張について
　ア　なお、審判請求人は、「本願請求項１に係る発明は、『電荷輸送性複素環高分子から成る固体層が正孔輸送性複素環高分子とフラーレン変性物とを含有するように構成すると共に、前記正孔輸送性複素環高分子が立体規則性ポリマーであり、前記フラーレン変性物がエステル基、イミノ基、アルキル基、アラルキル基、チオフェニル基から選ばれた官能基を少なくとも１つ以上含有するように構成することにより、前記立体規則性ポリマーと前記フラーレン変性物との共同作用によって高い光電変換効率を得ると共に優れた耐久性を実現する』ことを特徴的な技術思想とするものである。」（平成２１年１月２７日付けの手続補正書（審判請求書）の［請求の理由］欄）、「本願発明は、単にモビリティを向上させるために立体規則性ポリマーを適用したのではなく、立体規則性ポリマーとフラーレン変成物の共同作用によって、高い光電変換効率を得ると共に優れた耐久性を実現するものであり、特有の効果を奏するものである。係る特徴は、各引用文献２〜４のいずれにも記載されておらず又、示唆すら成されていない。」（平成２２年２月９日付け回答書の［回答の内容］欄）と主張している。
　
　イ　ここで、本願の明細書において、「耐久性」に関する記載をみると、従来技術に、「導電性高分子を用いた固体型太陽電池である前記非特許文献１記載の導電性高分子ポリフェニレンビニレンとフラーレン変性物（ＰＣＢＭ）と組み合わせたソーラーセルについては、エレクトロルミネッセンスの研究でよく知られているように、構成は比較的簡単ではあるが、ポリフェニレンビニレンは酸化されやすい性質を持っており、耐久性が必要な用途では欠点となり、実用化が困難である。」（【０００６】）との問題があることが記載され、本発明の実施の形態の概要として、「本願発明者らは前記課題を解決すべく鋭意研究を行なった結果、
ビニレン構造を有しない正孔輸送性複素環高分子（例えば、ポリチオフェン、ポリピロール、ポリフラン等）とフラーレン変性物とを含有した高分子複合膜から成る固体層を、透光性を有する作用電極と前記作用電極と対をなすように設けられた対極との間に配設することにより、主に耐久性を向上できることを見出し
　すなわち、本発明における「耐久性」についての課題は、従来技術において酸化されやすい性質を持つ「ポリフェニレンビニレン」を用いたことによる耐久性の問題に関するものであり、その課題解決手段は、高分子複合膜からなる固体層においてフラーレン変性物と組み合わせる高分子として、「ビニレン構造を有しない正孔輸送性複素環高分子（例えば、ポリチオフェン、ポリピロール、ポリフラン等）」を用いたというものであって、耐久性の観点において、「立体規則性ポリマー」と「フラーレン変性物」との「共同作用」による格別顕著な効果が認めらるような記載はない。
　
　ウ　また、本願明細書における「光電変換効率」に関する記載を見ると、「また、ビニレン構造を有しない正孔輸送性複素環高分子の中でも、立体規則性を持った高分子（立体規則性ポリマーと称する。）が電荷（この場合は正孔）輸送能が向上し、主に光電変換効率が向上するので好ましい。」（【００１６】）とあるように、光電変換効率の向上のためには、それぞれの成分における電荷輸送能の向上という観点から、その材料が選択されているものと認めらるが、これは、上記５（１）に示したとおり周知の事項に過ぎない。
　一方、正孔輸送性複素環高分子とフラーレン変性物の材料の組み合わせの観点から、「さらに、フラーレン変性物としては、前記ポリチオフェン等の正孔輸送性複素環高分子に含有している官能基と同種の官能基を含有することが、フラーレン変性物と正孔輸送性高分子の接触性、分散性を向上させ、正孔輸送性高分子で吸収された光励起電子がフラーレン変性物に効率よく移動可能となったり、電荷分離状態を沢山つくることが出来るという理由で好ましい。」（【００２２】）との記載があるが、これは、両材料の官能基が同種であることが好ましいというものであり、本願発明の特定事項である「立体規則性ポリマー」と、列挙される官能基を含有する「フラーレン変性物」との組合せによる「共同作用」による格別顕著な効果が認めらるものではない。
　
　エ　以上のとおり、本願明細書の記載から、本願発明が、「耐久性」及び「光電変換効率」の観点から、「立体規則性ポリマー」と特定の官能基を含有する「フラーレン変性物」との「共同作用」による格別顕著な効果を奏するものとは認められない。
　そして、その他に、請求人の主張する上記効果が、引用発明に上記周知技術を適用することにより当然奏される以上のものというべき根拠は見いだせず、請求人の上記主張をもって、本願発明において、引用発明及び周知技術から当業者が予測し得る域を超えるほどの格別顕著な効果が奏されるものとは認められない。
　
６　むすび　
　以上の検討によれば、本願発明は、引用刊行物に記載された発明及び周知技術に基づいて当業者が容易に発明をすることができたものであるから、特許法第２９条第２項の規定により、特許を受けることができない。
　
　よって、結論のとおり審決する。